(57)【特許請求の範囲】
【請求項１】
前面板、右側面板、後面板、左側面板および糊代よりなる角筒体の前面板ならびに後面板の下端に傾斜板をそれぞれ連設し、さらに後面板の上端には蓋板を介して差し込み片を連設し、左右側面板の上端にはフラップをそれぞれ設けた紙箱において、
前記左右側面板の下端に切妻屋根型紙容器の傾斜屋根の内側に係止する係止片を設け、
前記左右側面板の下部に、前記係止片を保持するための保持片であって、上端を切妻屋根型紙容器の傾斜屋根の形状に合わせて、この上端を切妻屋根型紙容器の切妻屋根の内側に係止する保持片を設けたことを特徴とする切妻屋根型紙容器用付属紙箱。
【発明の詳細な説明】
【０００１】
【産業上の利用分野】
本発明は、ジュースや酒類および油脂類等を充填した切妻屋根型（ゲーブルトップ型）紙容器の上部に設けられた傾斜屋根上に位置させて、おまけ品やおつまみや付属の小物等を収容する付属紙箱に関するものである。
【０００２】
【従来の技術】
最近の販売、流通市場の競争激化に伴って、おまけ品やおつまみや付属の小物等を販売商品の景品として添付する傾向が高まってきている。
そして、ジュースや酒類および油脂類等を充填した切妻屋根型紙容器においても、例えば実開昭５５−６９０３１号公報に示すように、切妻屋根型紙容器の傾斜屋根に底部を繋止できるように、底部に、傾斜屋根に合わせた山形のフラップを設けた付属紙箱が提案されている。
【０００３】
【発明が解決しようとする課題】
しかしながら、前記の実開昭５５−６９０３１号公報に示す付属紙箱については、山形のフラップがどこにも固定されていないために、この付属紙箱を切妻屋根型紙容器のトップシール部に挿入した際に、きっちりと繋止されずに外れてしまうという問題があった。
【０００４】
そこで本発明者等は、付属紙箱を切妻屋根型紙容器のトップシール部に挿入した際に、切妻屋根型紙容器との繋止が簡単に、かつ確実にできる付属紙箱を提供することを目的とする。
【０００５】
【課題を解決するための手段】
本発明は上記目的を達成するために、前面板、右側面板、後面板、左側面板および糊代よりなる角筒体の前面板ならびに後面板の下端に傾斜板をそれぞれ連設し、さらに後面板の上端には蓋板を介して差し込み片を連設し、左右側面板の上端にはフラップをそれぞれ設けた紙箱において、
前記左右側面板の下端に切妻屋根型紙容器の傾斜屋根の内側に係止する係止片を設け、
前記左右側面板の下部に、前記係止片を保持するための保持片であって、上端を切妻屋根型紙容器の傾斜屋根の形状に合わせて、この上端を切妻屋根型紙容器の切妻屋根の内側に係止する保持片を設けたことを特徴とする切妻屋根型紙容器用付属紙箱としたものである。
【０００８】
【作用】
上記のように本発明によれば、係止片を切妻屋根型紙容器の傾斜屋根の内側に挿入係止することにより、切妻屋根型紙容器へ、簡易に繋止できる付属紙箱を得ることができる。
【００１０】
また、左右側面板の下部に、前記係止片を保持するための保持片を設けたので、係止片の傾斜屋根の内側への挿入係止をさらにより確実に行うことのできる付属紙箱を得ることができる。
【００１１】
【実施例】
以下、図面を参照しながら本発明の実施例について説明する。
【００１２】
〈実施例１〉
図１、図２および図３は本発明の第１の実施例における切妻屋根型紙容器用付属紙箱であって、図１は使用状態を示す斜視説明図であり、図２はそのブランクの展開図であり、図３は組み立てた状態を示す断面図である。
【００１３】
糊代（１）、左側面板（１０）、前面板（２０）、右側面板（３０）、後面板（４０）を折り曲げ線を介して連設して設け、左側面板（１０）および右側面板（３０）の上端にはそれぞれ折り曲げ線を介してフラップ（１１，３１）を、下端には折り曲げ線を介して係止片（１２，３２）をそれぞれ設け、さらに前面板（２０）の下端には折り曲げ線を介して傾斜板（２１）と舌片（２２）を連設して設け、後面板（４０）の上端には折り曲げ線を介して蓋板（４２）と差し込み片（４３）を連設し、下端には折り曲げ線を介して傾斜板（４１）を設けた切妻屋根型紙容器用の付属紙箱である。
【００１４】
前記係止片（１２，３２）は内側に折り込んだ際、切妻屋根型紙容器の切妻屋根部の内側に折り込み成形した部分の傾斜屋根の内側に係止できるように、両側を斜めに切り欠いてある。
【００１５】
前記左側面板（１０）および右側面板（３０）の下部にはそれぞれ保持片（１３，３３）が設けられている。
この保持片（１３，３３）は、内方に押し込むことにより、内側に折り込んだ前記係止片（１２，３２）がはずれたりしないように該係止片を保持するため、上端を切妻屋根型紙容器の傾斜屋根の形状に合わせた形にすることにより、切妻屋根型紙容器の切妻屋根部の内側に折り込み成形した部分の傾斜屋根の内側に係止してはずれないようにするためのものである。
保持片（１３，３３）は、前記係止片（１２，３２）と同様に切妻屋根型紙容器の傾斜屋根の内側に押し込むことにより、係止片（１２，３２）を保持し、本発明の切妻屋根型紙容器の付属紙箱の繋止をより強固なものとする。
【００１６】
前記後面板（４０）に連設して設けられた傾斜板（４１）の先端には突状係合部（４１１）が形成されており、一方前面板（２０）の下端に設けられた傾斜板（２１）と舌片（２２）の境界部中央近傍には、舌片（２２）から傾斜板（２１）に向けて突出するように切り込み（２１０）と、切り込み（２１０）によって生じる凹状係合部（２１１）が設けられている。
【００１７】
本発明の第１の実施例における上記ブランクの組み立て方は、まず前記糊代（１）と後面板（４０）の裏面とを接着剤を用いて接着して各面板を起こし角筒状とする。
【００１８】
つぎに、前面板（２０）および後面板（４０）の下端に設けられた傾斜板（２１，４１）をそれぞれ内側に折り込み、傾斜板（２１）と舌片（２２）の境界部中央近傍に設けられた凹状係合部（２１１）に、傾斜板（４１）に設けられた突状係合部（４１１）を係合させて、切妻屋根型紙容器用付属紙箱の屋根部収納部を形成する。
【００１９】
そして、内容物を上部開口部より収納し、左右側面板（１０，３０）の上端に設けられたフラップ（１１，３１）をそれぞれ内側に折り込み、ついで蓋板（４２）および差し込み片（４３）を内側に折り込み、これらを上部開口部に差し込んで該開口部を閉鎖する。
【００２０】
こうして組み立てた切妻屋根型紙容器用付属紙箱を図１に示すように、切妻屋根型紙容器の上部に、係止片（１２，３２）を内側に折り込んだ状態でかぶせる。
そして、左右側面板（１０，３０）に設けられた保持片（１３，１３）、（３３，３３）を内側に折り込むことにより、前記係止片および保持片と切妻屋根型紙容器の傾斜屋根の内側との係合が非常に強固なものとなる。
【００３０】
上記のように本発明によれば、切妻屋根型紙容器の傾斜屋根の内側に係止片を挿入して係止するので、付属紙箱は切妻屋根型紙容器の上に強固に繋止され、切妻屋根型紙容器から外れて落ちることがなく、常に切妻屋根型紙容器と付属紙箱は一体になっている。
また、付属紙箱の左右側面板の下部に係止片を保持するための保持片を設けたので、付属紙箱は切妻屋根型紙容器の上にさらに確実に、強固に繋止され、切妻屋根型紙容器から外れて落ちることがなく、常に切妻屋根型紙容器と付属紙箱は一体になっている。
従って、店頭で付属紙箱を切妻屋根型紙容器にかぶせなおす手間がかからず、見栄えも良いという効果がある。
【００３１】
さらに、作業性の面においても、糊代部を接着した平板状態で搬送および保管が可能でありスペースをとることがない。かつ、組み立ても簡単にできるという効果がある。
【図面の簡単な説明】
【図１】本発明の第１の実施例における切妻屋根型紙容器用付属紙箱の使用状態を示した斜視説明図である。
【図２】本発明の第１の実施例における切妻屋根型紙容器用付属紙箱のブランクの展開図である。
【図３】本発明の第１の実施例における切妻屋根型紙容器用付属紙箱の組み立てた状態の断面図である。
【符号の説明】
１‥‥糊代
１０‥‥左側面板
１１‥‥フラップ
１２‥‥係止片
１３‥‥保持片
２０‥‥前面板
２１‥‥傾斜板
２２‥‥舌片
２１０‥‥切り込み
２１１‥‥凹状係合部
３０‥‥右側面板
３１‥‥フラップ
３２‥‥係止片
３３‥‥保持片
４０‥‥後面板
４１‥‥傾斜板
４１１‥‥突状係合部
４２‥‥蓋板
４３‥‥差し込み片
【図１】
0003705830.tif 000002
【図２】
0003705830.tif 000003
【図３】
0003705830.tif 000004